(57)【特許請求の範囲】
【請求項１】
内面にディスク状記録媒体を保持する上蓋と、
内面にディスク状記録媒体を保持する下蓋と、
上記上蓋の一側部および上記下蓋の一側部とにヒンジ部を介して取り付けられた背面部材と、
上記背面部材の内面側に配置されたホルダと、を備えていて、
上記ホルダは、ディスク状記録媒体の一端部を挿入することにより、該一端部の表裏面を挟んでディスク状記録媒体を挟着保持する
ことを特徴とするディスク状記録媒体の収納ケース。
【請求項２】
請求項１において、
上記背面部材の内面側に配置されたホルダは、互いに平行な２つ以上の側面部からなることを特徴とするディスク状記録媒体の収納ケース。
【請求項３】
請求項１において、
上記ホルダは、積層された複数のディスク状記録媒体を挟み込んで保持可能に構成されていることを特徴とするディスク状記録媒体の収納ケース。
【請求項４】
請求項１において、
上記ホルダは、ディスク状記録媒体の位置決め用突起を備えていることを特徴とするディスク状記録媒体の収納ケース。
【発明の詳細な説明】
【０００１】
【産業上の利用分野】
この発明は、フロッピーディスク等のディスク状記録媒体を収納するケースに関する。
【０００２】
【従来の技術】
例えば、フロッピーディスク等のディスク状記録媒体の収納ケースとしては、図１４に示すようなものがある。つまり、収納ケース７は一対の蓋７Ａおよび７Ｂを備えている。そして、一対の蓋７Ａおよび７Ｂはヒンジ部を中心にして回動可能となっており、一枚のフロッピーディスクが蓋７Ａに形成された収納部７Ｃに収納され、蓋７Ａと７Ｂとが閉じられる。この収納ケース７は、比較的に強度が高いポリスチレンやアクリルスチロール（曲げ弾性率約３５０００Ｋｇ／ｃｍ2）が使用されている。
【０００３】
これに対し、ファッション性や密閉性等を考慮した、柔軟性が高い材質、例えばポリプロピレン（曲げ弾性率１００００〜１３０００Ｋｇ／ｃｍ2）が使用された収納ケースもある。
【０００４】
図１５は、上記柔軟性が高い材質を使用した収納ケース８の概略図である。この収納ケース８は一対の蓋８Ａおよび８Ｂを備えており、この一対の蓋８Ａおよび８Ｂはヒンジ部を中心にして回動可能となっている。そして、この収納ケース８は、フロッピーディスクＦが２枚収納できるようになっている。
【０００５】
【発明が解決しようとする課題】
ところで、最近ノート型パーソナルコンピュータ等の普及により、フロッピーディスクなどのディスク状記録媒体の需要が増加している。そして、ディスク状記録媒体の需要増に伴って、ディスク状記録媒体の収納ケースの需要も増加している。さて、例えばノート型パーソナルコンピュータの場合には、持ち運び用にバックアップ用のフロッピーディスクとデータ用のフロッピーディスクとで最低２枚のフロッピーディスクが必要となるが、３枚以上のフロッピーディスクを用意しておくことが望ましい。
【０００６】
ところで、持ち運びに便利な収納ケースとしては、従来最大で２枚のフロッピーディスクしか収納できない。したがって、３枚以上のフロッピーディスクを持ち運ぶ場合には、収納ケースを２つ以上用意しなければならず不便であった。
【０００７】
そこで、３枚以上のフロッピーディスク等のディスク状記録媒体を収納し得る、持ち運びに便利な収納ケースが望まれていた。
【０００８】
【課題を解決するための手段】
この発明のディスク状記録媒体の収納ケースは、上記間題点を解決するため、内面にディスク状記録媒体を保持する上蓋と、内面にディスク状記録媒体を保持する下蓋と、上記上蓋の一側部および上記下蓋の一側部とにヒンジ部を介して取り付けられた背面部材と、上記背面部材の内面側に配置されたホルダと、を備えていて、
上記ホルダは、ディスク状記録媒体の一端部を挿入することにより、該一端部のの表裏面を挟んでディスク状記録媒体を挟着保持する。
【０００９】
【作用】
収納ケースの上蓋および下蓋のそれぞれに一枚ずつディスク状記録媒体が保持可能となっているとともに、上記ホルダに一枚または一枚以上のディスク状記録媒体が保持可能となっている。したがって、３枚以上のディスク状記録媒体を収納し得る持ち運びに便利な収納ケースが実現される。
【００１０】
【実施例】
図１は、この発明の一実施例であるフロッピーディスクの収納ケース１の概略斜視図である。
【００１１】
図１において、１Ａは上蓋、１Ｂは下蓋、１Ｃは背面部であり、この背面部１Ｃは上蓋１Ａの一側面と下蓋１Ｂの一側面とに、ヒンジ部を介して接続されている。また、１Ｄはホルダであり、このホルダ１Ｄは背面部１Ｃ上に配置されている。このホルダ１Ｄは、後述するように、平行した２つの側面部１Ｄａ，１Ｄｂを備えており、この２つの側面部１Ｄａ，１Ｄｂの間にフロッピーディスクＦ３が挟み込まれて保持されるようになっている。また、上蓋１Ａの内面には、フロッピーディスクＦ１が保持されるようになっている。さらに、同様に、下蓋１Ｂの内面には、フロッピーディスクＦ２が保持されるようになっている。
【００１２】
図２は、上記収納ケース１にフロッピーディスクＦ１，Ｆ２，Ｆ３が収納された状態の概略断面図である。この図２に示すように、上蓋１ＡにフロッピーディスクＦ１が保持され、下蓋１ＢにフロッピーディスクＦ２が保持される。そしてホルダ１ＤにフロッピーディスクＦ３が保持されている。
【００１３】
図３および図４は、ホルダ１Ｄの部分拡大図である。図３および図４において、ホルダ１Ｄの側面部１Ｄａと１Ｄｂとの間の距離Ｔは、フロッピーディスクＦ３の厚みよりも僅かに小となっている。例えば、３.５インチのフロッピーディスクの場合、厚さは約３.３ｍｍであり、この場合、距離Ｔは約３.０ｍｍとする。また、ホルダ１Ｄの底面部１Ｄｃには突起１Ｄｄが形成されている。この突起１Ｄｄの側面部１Ｄｂおよび１Ｄａからの距離Ｔ1およびＴ2は、それぞれ約１.０ｍｍとなっている（３.５インチのフロッピーディスクの場合）。この突起１Ｄｄは、フロッピーディスクＦ３に形成された半円形の切欠２に挿入されるようになっており、フロッピーディスクＦ３のホルダ１Ｄへの位置決め用である。なお、フロッピーディスクＦ３に形成された切欠２は、フロッピーディスクがディスクドライブ装置（図示せず）に挿入される際の位置決め用の切欠である。
【００１４】
なお、上述した一実施例は、例えばポリプロピレン等の軟質の材料を用い、射出成形によって、上蓋１Ａ，下蓋１Ｂ，背面部１Ｃ，ホルダ１Ｄ等が一体に形成される。
【００１５】
以上のように、この発明の一実施例によれば、３枚以上のフロッピーディスクを収納し得る持ち運びに便利な収納ケースを実現することができる。
【００１６】
図５は、この発明の他の実施例であるフロッピーディスクの収納ケース３の概略斜視図である。
【００１７】
図５において、上蓋３Ａの一側面と下蓋３Ｂの一側面とにヒンジ部を介して背面部３Ｃが接続されている。また、ホルダ３Ｄは背面部３Ｃ上に配置されており、互いに平行な３つの側面部、つまり上蓋側側面部，中間側面部，下蓋側側面部を備えている。そして、上蓋側側面部と中間側面部との間、および下蓋側側面部と中間側面部との間のそれぞれに１枚づつのフロッピーディスクを保持し得るように構成されている。
【００１８】
この図５の例においては、４枚のフロッピーディスクを収納し得るように構成されている。
【００１９】
図６は、この発明のさらに他の実施例であるフロッピーディスクの収納ケース４の概略斜視図である。
【００２０】
図６において、上蓋４Ａの一側面と下蓋４Ｂの一側面とにヒンジ部を介して背面部４Ｃが接続されている。また、ホルダ４Ｄは背面部４Ｃ上に配置されており、互いに平行な６つの側面部を備えている。そして、これら６つの側面部の隣接する側面部の間にそれぞれ１枚づつのフロッピーディスクを保持し得るように構成されている。
【００２１】
この図６の例においては、７枚のフロッピーディスクを収納し得るように構成されている。
【００２２】
図７，図８，図９は、この発明のさらに他の実施例である収納ケース５の展開図であり、図７は内面側、図８は外面側、図９は側面側から見た図である。
【００２３】
図７，図８，図９において、５Ａは上蓋、５Ｂは下蓋、５Ｃは背面部であり、この背面部５Ｃは上蓋５Ａの一側面と下蓋５Ｂの一側面とに、ヒンジ部を介して接続されている。また、５Ｄはホルダであり、このホルダ５Ｄは背面部５Ｃ上に配置されている。そして、このホルダ５Ｄは、互いに平行な２つの側面部５Ｄａおよび５Ｄｂを備えている。なお、図示していないが上記側面部５Ｄａと５Ｄｂとの間には、図３および図４に示した突起１Ｄｄと同様な突起が形成されている。そして、２つの側面部５Ｄａと５Ｄｂとの間の寸法は、フロッピーディスクの厚み（例えば約３.３ｍｍ）よりも僅かに小さな値となっている（例えば約３.０ｍｍ）。
【００２４】
また、上蓋５Ａの内面には、４つの保持用突起９，１０，１１，１２が形成されており、これら４つの保持用突起９，１０，１１，１２によってフロッピーディスクが保持されるようになっている。さらに、同様に、下蓋５Ｂの内面には、４つの保持用突起１３，１４，１５，１６が形成されており、これら４つの保持用突起１３，１４，１５，１６によってフロッピーディスクが保持されるようになっている。
【００２５】
図１０は、収納ケース５の上蓋５Ａおよび下蓋５Ｂを閉じた状態の一部破断図であり、図１１は両蓋５Ａおよび５Ｂを閉じた状態の斜視図である。
【００２６】
図１２は、収納ケース５にフロッピーディスクＦ１，Ｆ２，Ｆ３が収納された状態の概略断面図である。この図１２に示すように、上蓋５Ａに保持されたフロッピーディスクＦ１は、ホルダ５Ｄの側面部５Ｄａの上端側に配置され、下蓋５Ｂに保持されたフロッピーディスクＦ２は、ホルダ５Ｄの側面部５Ｄｂの上端側に配置され、３枚のフロッピーディスクＦ１，Ｆ２，Ｆ３は密接して配置されている。つまり、収納ケース５の場合は、図２の例と比較して、側面部５Ｄａの厚み寸法と側面部５Ｄｂの厚み寸法分だけ、薄形化されている。
【００２７】
以上のように、図７〜図１２に示した実施例によれば、３枚のフロッピーディスクを収納でき、薄形化された持ち運びに便利な収納ケースを実現することができる。
【００２８】
図１３は、この発明のさらに他の実施例である収納ケース６の概略斜視図である。
【００２９】
同図において、上蓋６Ａの一側面と下蓋６Ｂの一側面とにヒンジ部を介して背面部６Ｃが接続されている。また、ホルダ６Ｄは背面部６Ｃ上に配置されており、互いに平行な側面部６Ｄａと６Ｄｂとを備えている。この側面部６Ｄａと６Ｄｂとの間の寸法は、１枚のフロッピーディスクの厚み寸法の２倍よりも僅かに小さなものとなっている。つまり、これら側面部６Ｄａと６Ｄｂとは２枚のフロッピーディスクを挟み込んで保持できるようになっている。また、上蓋６Ａの内面には、４つの保持用突起９，１０，１１，１２が形成されており、これら４つの保持用突起９，１０，１１，１２によってフロッピーディスクが保持されるようになっている。さらに、下蓋６Ｂの内面には、４つの保持用突起１３，１４，１５，１６が形成されており、これら４つの保持用突起１３，１４，１５，１６によってフロッピーディスクが保持されるようになっている。そして、収納ケース６が閉じられた状態においては、図１２と同様に、上蓋６Ａに保持されたフロッピーディスクは側面部６Ｄａの上端部に配置するようになっている。また、下蓋６Ｂに保持されたフロッピーディスクは側面部６Ｄｂの上端部に配置するようになっている。つまり、４枚のフロッピーディスクは密接して収納ケース６内に収納される。したがって、図１３の収納ケース６の場合は、４枚のフロッピーディスクを収納し得る図５の収納ケース３と比較して、ホルダ３Ｄの厚み寸法だけ薄形化される。
【００３０】
なお、図５〜図１３の例において、ホルダ３Ｄ，４Ｄ，５Ｄ，６Ｄには、図３および図４に示した突起１Ｄｄと同様な突起が形成されている。
【００３１】
また、上述した図１〜図１３の例において、ポリプロピレン等の軟質の材料を用い、上蓋，下蓋，背面部およびホルダを射出成形により一体成形してもよい。さらに、ホルダのみ別個に成形し、この成形したホルダを背面部に超音波溶着等により接合してもよい。
【００３２】
また、上述した実施例は、フロッピーディスクの収納ケースであるが、この発明は、フロッピーディスクのみならず、他のディスク状記録媒体の収納ケースにも適用することができる。
【００３３】
【発明の効果】
以上のように、この発明によれば、内面にディスク状記録媒体を保持する上蓋と、内面にディスク状記録媒体を保持する下蓋と、上記上蓋の一側部および上記下蓋の一側部とにヒンジ部を介して取り付けられた背面部材と、上記背面部材の内面側に配置され、ディスク状記録媒体の表裏面を挟み込んで保持可能なホルダと、を備えるように構成したので、３枚以上のディスク状記録媒体を収納し得る持ち運びに便利な収納ケースを実現できる。
【図面の簡単な説明】
【図１】この発明の一実施例の概略斜視図。
【図２】この発明の一実施例の概略断面図。
【図３】この発明の一実施例におけるホルダの部分拡大図。
【図４】この発明の一実施例におけるホルダの部分拡大図。
【図５】この発明の他の実施例の概略斜視図。
【図６】この発明のさらに他の実施例の概略斜視図。
【図７】この発明のさらに他の実施例の内面部の展開図。
【図８】図７の例の外面部の展開図。
【図９】図７の例の側面部の展開図。
【図１０】図７の例の閉じた状態の一部破断図。
【図１１】図７の例の閉じた状態の斜視図。
【図１２】図７の例の閉じた状態の概略断面図。
【図１３】この発明のさらに他の実施例の概略斜視図。
【図１４】従来の収納ケースの一例の概略斜視図。
【図１５】従来の収納ケースの他の例の概略斜視図。
【符号の説明】
１，３，４，５，６…収納ケース、１Ａ，３Ａ，４Ａ，５Ａ，６Ａ…上蓋、１Ｂ，３Ｂ，４Ｂ，５Ｂ，６Ｂ…下蓋、１Ｃ，３Ｃ，４Ｃ，５Ｃ，６Ｃ…背面部材、１Ｄ，３Ｄ，４Ｄ，５Ｄ，６Ｄ…ホルダ、Ｆ１，Ｆ２，Ｆ３…フロッピーディスク。
【図１】
0003541045.tif 000002
【図２】
0003541045.tif 000003
【図３】
0003541045.tif 000004
【図４】
0003541045.tif 000005
【図５】
0003541045.tif 000006
【図６】
0003541045.tif 000007
【図７】
0003541045.tif 000008
【図８】
0003541045.tif 000009
【図９】
0003541045.tif 000010
【図１０】
0003541045.tif 000011
【図１１】
0003541045.tif 000012
【図１２】
0003541045.tif 000013
【図１３】
0003541045.tif 000014
【図１４】
0003541045.tif 000015
【図１５】
0003541045.tif 000016